(57)【要約】  内視鏡１の操作部３に対して傾動可能に支持された湾曲レバー４５と、この湾曲レバー４５に設けられ当該湾曲レバー４５の傾動動作に連動して先端側が変位可能なアーム部５４ｂと、操作部３に対して揺動可能に支持され、アーム部５４ｂの先端側が中継ワイヤ６５を介して接続する力点６２ｃを中途に有するとともに、湾曲ワイヤ２３が接続する作用点６２ｂを力点６２ａよりも支点（軸部６３）から離間した位置に有する中継レバー６２と、を備えて湾曲操作装置７０を構成する。
2016147457.tif 000002
【特許請求の範囲】
【請求項１】
内視鏡の操作部に対して傾動可能に支持された湾曲レバーと、
前記湾曲レバーに設けられ当該湾曲レバーの傾動動作に連動して先端側が変位可能なアーム部と、
前記操作部に対して揺動可能に支持され、前記アーム部の先端側が中継ワイヤを介して接続する力点を中途に有するとともに、前記内視鏡の挿入部に設けられた湾曲部を湾曲動作させるための湾曲ワイヤが接続する作用点を前記力点よりも支点から離間した位置に有する中継レバーと、を備えたことを特徴とする湾曲操作装置。
【請求項２】
前記中継ワイヤの中途に係合され、前記湾曲レバーが中立状態にあるときの前記中継ワイヤの基端側を前記アーム部の垂直方向に対して所定角度範囲内の角度にて指向させるプーリを備えたことを特徴とする請求項１に記載の湾曲操作装置。
【請求項３】
前記プーリは、前記湾曲レバーが中立状態にあるときの前記中継ワイヤの先端側を前記中継レバーの垂直方向に対して所定角度範囲内の角度にて指向させることを特徴とする請求項２に記載の湾曲操作装置。
【請求項４】
前記中継レバーの前記力点に接続する前記中継ワイヤの長さを調整する第１のワイヤ調整部と、
前記中継レバーの前記作用点に接続する前記湾曲ワイヤの長さを調整する第２のワイヤ調整部と、を備えたことを特徴とする請求項１に記載の湾曲操作装置。
【請求項５】
請求項１に記載の湾曲操作装置を前記操作部に備えたことを特徴とする内視鏡。
【発明の詳細な説明】
【技術分野】
【０００１】
本発明は、湾曲レバーへの傾動操作に連動して湾曲部を湾曲動作させる湾曲操作装置及び内視鏡に関する。
【背景技術】
【０００２】
従来、生体の体内、構造物の内部など、観察が困難な被検体の内部の箇所を観察するために、被検体内に挿入可能な内視鏡が、例えば、医療分野または工業分野において広く利用されている。【０００３】
このような内視鏡の挿入部には、被検体内の挿入性及び観察性を向上させるための湾曲部が設けられている。この湾曲部は、操作部に設けられた湾曲操作装置により湾曲操作される。【０００４】
例えば、日本国特開２００３−３２５４３７号公報には、挿入部の湾曲部を湾曲操作するための湾曲操作装置として、ジョイスティック型の湾曲操作装置が開示されている。この種の湾曲操作装置は、基端部に複数のアーム部が固設されたジョイスティック型の湾曲レバーを有し、各アーム部の端部に連結された牽引ワイヤが湾曲レバーへの傾動動作に連動して牽引或いは弛緩されることにより、湾曲部を湾曲動作させることが可能となっている。【０００５】
しかしながら、ジョイスティック型の湾曲レバーは、一般に、傾動可能な角度が所定に制限されるため、湾曲操作ノブ等に比べて牽引ワイヤの牽引量を十分に確保することが困難であり、湾曲部を大きな湾曲角度にて湾曲動作させることが困難な傾向にある。【０００６】
これに対処し、各アーム部を長く設定すると、操作部内においてアーム部と他の内蔵物とが干渉する虞があり、このようなアーム部と内蔵物との干渉を回避しようとすると操作部の大型化等を招く虞がある。【０００７】
本発明は上記事情に鑑みてなされたもので、アーム部を長大化させることなく、湾曲部を十分な湾曲角度で湾曲動作させることができる湾曲操作装置及び内視鏡を提供することを目的とする。
【発明の開示】
【課題を解決するための手段】
【０００８】
本発明の一態様による湾曲操作装置は、内視鏡の操作部に対して傾動可能に支持された湾曲レバーと、前記湾曲レバーに設けられ当該湾曲レバーの傾動動作に連動して先端側が変位可能なアーム部と、前記操作部に対して揺動可能に支持され、前記アーム部の先端側が中継ワイヤを介して接続する力点を中途に有するとともに、前記内視鏡の挿入部に設けられた湾曲部を湾曲動作させるための湾曲ワイヤが接続する作用点を前記力点よりも支点から離間した位置に有する中継レバーと、を備えたものである。【０００９】
また、本発明の一態様による内視鏡は、前記湾曲操作装置を前記操作部に備えたものである。
【図面の簡単な説明】
【００１０】
【図１】内視鏡の外観を示す正面図
【図２】内視鏡の外観を示す右側面図
【図３】内視鏡の外観を示す上面図
【図４】ワイヤ牽引部材とシリンダとの配置関係を示す説明図
【図５】ワイヤ牽引機構とシリンダとの配置関係を示す斜視図
【図６】ワイヤ牽引機構の内部構造体を示す斜視図
【図７】ワイヤ牽引機構の内部構造体を示す分解斜視図
【図８】操作部の要部断面図
【図９】図８のIX矢視図
【図１０】先端部及び湾曲部の要部を示す横断面図
【図１１】先端部を図１０のXI−XI線に沿って示す断面図
【発明を実施するための最良の形態】
【００１１】
以下、図面を参照して本発明の形態を説明する。図面は本発明の一実施形態に係り、図１は内視鏡の外観を示す正面図、図２は内視鏡の外観を示す右側面図、図３は内視鏡の外観を示す上面図、図４はワイヤ牽引部材とシリンダとの配置関係を示す説明図、図５はワイヤ牽引機構とシリンダとの配置関係を示す斜視図、図６はワイヤ牽引機構の内部構造体を示す斜視図、図７はワイヤ牽引機構の内部構造体を示す分解斜視図、図８は操作部の要部断面図、図９は図８のIX矢視図、図１０は先端部及び湾曲部の要部を示す横断面図、図１１は先端部を図１０のXI−XI線に沿って示す断面図である。【００１２】
図１，２に示すように、本実施形態の内視鏡１は気管支用の内視鏡であり、この内視鏡１は、細長管状に形成された挿入部２と、この挿入部２の基端に連設された操作部３と、この操作部３から延設された内視鏡ケーブルであるユニバーサルコード４と、このユニバーサルコード４の先端に配設された内視鏡コネクタ５と、を備えて構成されている。【００１３】
挿入部２は、先端側から順に、先端部６、湾曲部７、可撓管部８が連設された可撓性を有する管状部材によって構成されている。【００１４】
例えば、図１０，１１に示すように、先端部６内には金属製の先端硬質部１０が設けられ、この先端硬質部１０にはＣＣＤ，ＣＭＯＳ等の撮像素子を内蔵した撮像ユニット１１、一対のライトガイド１２、及び、処置具挿通チャンネル１３が保持されている。【００１５】
また、先端部６内において、先端硬質部１０の基端側には、略円筒形状をなす最先端湾曲駒２０が外嵌され、この最先端湾曲駒２０の外周が湾曲ゴム２２によって覆われている。最先端湾曲駒２０の内周には、挿入軸Ｏ周りの４箇所にワイヤ固定部２１が設けられ、各ワイヤ固定部２１には、挿入部２内に挿通された４本の牽引ワイヤ２３の何れかの先端がそれぞれ固定されている。【００１６】
ここで、先端部６を太径化させることなく各構成部材を効率良く配置するため、先端硬質部１０及び最先端湾曲駒２０内には大型部材である撮像ユニット１１と処置具挿通チャンネル１３とが左右に並んで配置され、（図１０，１１参照）、これらの配置によって上下に形成されたスペースにライトガイド１２がそれぞれ配置されている。【００１７】
また、撮像ユニット１１及び処置具挿通チャンネル１３と、各牽引ワイヤ２３との干渉を回避するため、各ワイヤ固定部２１は、先端部６の上下左右位置に対して挿入軸Ｏ周りに所定角度回転移動した位置に設けられている。すなわち、例えば、図１１に示すように、最先端湾曲駒２０には、先端部６の上方向を基準として挿入軸Ｏ周りに左右それぞれ３０〜６０度の範囲内で回転移動させた位置、及び、先端部６の下方向を基準として挿入軸Ｏ周りに左右それぞれ３０〜６０度の範囲内で回転移動させた位置に、各ワイヤ固定部２１が設けられている。【００１８】
湾曲部７は、操作部３に対する術者等の操作入力に応じて、上下左右方向（ＵＰ−ＤＯＷＮ／ＲＩＧＨＴ−ＬＥＦＴ）を含む挿入軸Ｏ周りの全方向へと能動的に湾曲させ得るように構成されている。すなわち、本実施形態の湾曲部７は、複数の湾曲駒２５が、挿入部２の上下方向に配置された枢軸部２５ａと、挿入部２の左右方向に配置された枢軸部２５ｂと、を交互に介して連結された湾曲駒組２４を有して構成されている。【００１９】
この湾曲駒組２４の内部には、撮像ユニット１１から延在する信号ケーブル１１ａ、ライトガイド１２、及び、処置具挿通チャンネル１３が、先端部６内と略同様の配置にて挿通されている。また、湾曲駒組２４を構成する所定の湾曲駒２５には、挿入軸Ｏ周りの回転配置が上述の各ワイヤ固定部２１と略同様となる位置に、各牽引ワイヤ２３をそれぞれ挿通するワイヤガイド（図示せず）が形成されている。さらに、湾曲駒組２４の外周は、先端部６側から延在する湾曲ゴム２２によって覆われている。【００２０】
可撓管部８は、受動的に湾曲可能な可撓性を有する管状部材によって構成されている。この可撓管部８の内部には、上述の信号ケーブル１１ａ、ライトガイド１２、及び、処置具挿通チャンネル１３が挿通されている（ここでは、何れも不図示）。【００２１】
操作部３は、可撓管部８の基端を覆った状態にて当該可撓管部８に接続された折れ止部３０と、この折れ止部３０に連設され使用者等の手によって把持可能な把持部３１と、この把持部３１の基端側に連設された操作部本体３２と、を有して構成されている。なお、本実施形態において、操作部３における挿入軸Ｏ周りの方向等は使用者等が把持部３１を把持した状態を基準として定義されており、具体的には、操作部３には、把持部３１を把持した使用者等を基準とする前後左右方向（前面、背面、及び、左右側面等）が定義されている。【００２２】
図１に示すように、把持部３１は、挿入軸Ｏ（中心軸）に対して左右対称な形状に形成され、使用者等が左手或いは右手の何れの手によっても同様に把持することが可能となっている。【００２３】
また、把持部３１の先端側の前面には、処置具挿通部３５が設けられている。この処置具挿通部３５は、各所の処置具（不図示）を挿入する処置具挿通口３５ａを備えて構成されている。操作部３の内部において、処置具挿通口３５ａには、図示しない分岐部材を介して、処置具挿通チャンネル１３が連通されている。また、処置具挿通部３５には、処置具挿通口３５ａを閉塞するための蓋部材である鉗子栓（不図示）が着脱自在となっている。【００２４】
操作部本体３２は、把持部３１の基端側において、主として左右側方及び前方に膨出された略部分球状をなす中空部材によって構成されている。この操作部本体３２の前面側には、内視鏡１の各種機能を実行するための操作ボタン群４０が配設されている。一方、操作部本体３２の背面側には、湾曲部７に対する湾曲操作を行うための操作レバーとしての湾曲レバー４５が配設されている。さらに、操作部本体３２の一側部（例えば、左側部）からは、ユニバーサルコード４が延出されている。【００２５】
ここで、操作部本体３２の左右形状は挿入軸Ｏに対して左右対称に膨出された形状となっており、この操作部本体３２の先端側の左右側面には、把持部３１を把持した使用者の人差し指等を操作ボタン群４０に導くガイド用凹部３２ａがそれぞれ形成されている。【００２６】
ユニバーサルコード４は、挿入部２の内部を通じて先端部６側から操作部３に至り、さらに操作部３から延出する各種信号線などを内部に挿通するとともに、光源装置（不図示）のライトガイド１２を挿通し、さらに送気送水装置（不図示）から延出される送気送水用チューブを挿通する複合ケーブルである。【００２７】
内視鏡コネクタ５は、外部機器のビデオプロセッサ（不図示）との間を接続する信号ケーブルが接続される電気コネクタ部５ａを側面部に有するとともに、外部機器である光源装置との間を接続するライトガイド及び電気ケーブルが接続される光源コネクタ部５ｂと、を有して構成されている。【００２８】
次に、操作部本体３２における各部の構成について、より詳細に説明する。【００２９】
図１に示すように、操作ボタン群４０は、例えば、操作部本体３２に着脱自在に装着された吸引バルブ４１から突出する吸引ボタン４１ａと、内視鏡１に関する各種機能の中から任意の機能を割り当てることが可能な２つのボタンスイッチ４２と、を有して構成されている。【００３０】
これら吸引ボタン４１ａ及びボタンスイッチ４２は、操作部本体３２の前面側において、左右対称となるよう配置されている。すなわち、本実施形態において、吸引ボタン４１ａは、挿入軸Ｏに重畳するよう、操作部本体３２の左右幅方向の中央に配置されている。また、２つのボタンスイッチ４２は、吸引ボタン４１ａよりも先端側において、挿入軸Ｏを挟んで左右対称な位置に配置されている。【００３１】
ここで、例えば図４に示すように、操作部本体３２の内部には、吸引バルブ４１に連設するシリンダ４３が設けられている。このシリンダ４３は、吸引バルブ４１を着脱自在に装着可能となっており、吸引ボタン４１ａの配置に対応して挿入軸Ｏに重畳するよう、操作部本体３２の左右幅方向の中央に配置されている。【００３２】
湾曲レバー４５は、例えば、上下左右方向を含む全方向に傾動可能なジョイスティック型のレバーによって構成されている。この湾曲レバー４５は、操作部本体３２の背面側において、左右対称となる位置に配置されている。すなわち、本実施形態において、湾曲レバー４５は、挿入軸Ｏに重畳するよう、操作部本体３２の左右幅方向の中央に配置されている。ここで、例えば、図３に示すように、この湾曲レバー４５の傾動方向は、例えば、挿入軸Ｏに直交する方向である操作部３の左右幅方向に傾動操作の左右方向が定義され、この左右幅方向に直交する方向に上下方向が定義されている。【００３３】
より具体的には、本実施形態の湾曲レバー４５の傾動方向は、例えば、図３中の紙面左側が湾曲部７を左側に湾曲させるための傾動方向（左傾動方向）、図３中の紙面右側が湾曲部７を右側に湾曲させるための傾動方向（右傾動方向）、図３中の紙面下側が湾曲部７を上側に湾曲させるための傾動方向（上傾動方向）、図３中の紙面上側が湾曲部７を下側に湾曲させるための傾動方向（下傾動方向）としてそれぞれ定義されている。【００３４】
湾曲レバー４５の突端部には、使用者等の親指等を当接させることが可能な指当て部４６が設けられている。また、図８に示すように、操作部３の内部において、湾曲レバー４５の基端側にはワイヤ牽引機構５０が連設され、さらに、このワイヤ牽引機構５０には、中継レバー機構６０を介して各牽引ワイヤ２３が接続されている。そして、湾曲レバー４５は、これらワイヤ牽引機構５０及び中継レバー機構６０とともに、湾曲部７を任意の方向に湾曲動作させるための湾曲操作装置７０を構成する。【００３５】
図５〜８に示すように、ワイヤ牽引機構５０は、ハウジング５１と、このハウジング５１内に回動（揺動）自在に軸支される回動枠５２と、この回動枠５２内に回動（揺動）自在に軸支されるベース部材５３と、このベース部材５３に固設されるワイヤ牽引部材５４と、を有して構成されている。【００３６】
ハウジング５１は、略円筒形状をなす部材によって構成され、このハウジング５１の周壁には、互いに対向する軸孔５１ａが穿設されている。【００３７】
回動枠５２は、例えば、略矩形形状をなす枠体によって構成されている。この回動枠５２には、長手方向両端部の中央に互いに対向する一対のねじ孔５２ａが穿設され、さらに、短手方向両端部の中央に互いに対向する一対の軸孔５２ｂが穿設されている。そして、ハウジング５１の各軸孔５１ａにそれぞれ挿通されたビス５５が各ねじ孔５２ａに螺合することにより、回動枠５２はハウジング５１に対して回動自在に軸支されている。【００３８】
ベース部材５３は、略円柱形状をなす部材によって構成されている。このベース部材５３の中心軸上には、湾曲レバー４５が一体形成されている。また、ベース部材５３の周部には、互いに対向する一対の平坦部５３ｂが形成され、さらに、これら平坦部５３ｂを貫通するねじ孔５３ｃが穿設されている。このねじ孔５３ｃには、回動枠５２の各軸孔５２ｂにそれぞれ挿通されたビス５６が螺合され、これにより、ベース部材５３は回動枠５２に対して回動自在に軸支されている。そして、このようにベース部材５３が回動枠５２を介してハウジング５１に支持されることにより、ベース部材５３に対して一体に連設された湾曲レバー４５は任意の方向に対して傾動することが可能となっている。【００３９】
ワイヤ牽引部材５４は、互いに異なる４方向にアーム部５４ｂが延出された板状の部材によって構成されている。本実施形態において、より具体的には、ワイヤ牽引部材５４は、互いに隣接するアーム部５４ｂのなす角度が９０度に設定された十字状の板状部材によって構成され、その中心部５４ａがビス５７を介してベース部材５３に固定されている。すなわち、ワイヤ牽引部材５４にはベース部材５３を介して湾曲レバー４５が連結され、これにより、各アーム部５４ｂの先端側は、湾曲レバー４５の傾動動作に連動して変位可能となっている。また、このように変位可能に支持された各アーム部５４ｂの先端側には、ワイヤ固定孔５４ｃが穿設されている。なお、各アーム部５４ｂのなす角度は９０度に限定されるものではなく、例えば、当該９０度を基準とする±３０度の範囲内において任意に変更することも可能である。【００４０】
このように構成されたワイヤ牽引機構５０は、操作部本体３２内において、シリンダ４３と前後に対向するよう配置されている。この場合において、ワイヤ牽引機構５０は、各アーム部５４ｂが湾曲レバー４５に定義された上下左右の傾動方向に対して当該湾曲レバー４５の中心軸Ｏｌ周りにそれぞれ３０度〜６０度の範囲内で回転移動させた位置（例えば、４５度回転移動させた位置）に配置されている。これにより、例えば、図４に示すように、ワイヤ牽引機構５０は、ワイヤ牽引部材５４の２つのアーム部５４ｂの間にシリンダ４３が臨まされた状態にて配置されている。【００４１】
図８，９に示すように、中継レバー機構６０は、操作部本体３２内から把持部３３内へと延在する左右一対のステー６１と、これらのステー６１に支持された４本の中継レバー６２と、を有して構成されている。【００４２】
各中継レバー６２は、把持部３３内において左右一列に並んで配置され、これら中継レバー６２の固定端側が、左右のステー６１間に架設する単一の軸部６３を支点として揺動可能に支持されている。【００４３】
これら各中継レバー６２はワイヤ牽引機構５０の各アーム部５４ｂに対応するものであり、各中継レバー６２の中途には、湾曲レバー４５の傾動動作に伴う各アーム部５４ｂの変位量が中継ワイヤ６５を介して伝達される力点６２ａが設定されている。さらに、力点６２ａよりも支点（軸部６３）から離間した位置にある各中継レバー６２の自由端側には、各アーム部５４ｂの変位量を増幅して各牽引ワイヤ２３に伝達するための作用点６２ｂが設定されている。【００４４】
具体的に説明すると、例えば、図８，９に示すように、各アーム部５４ｂのワイヤ固定孔５４ｃには、中継ワイヤ６５の基端側が接続されている。一方、各中継レバー６２の力点６２ａには、中継ワイヤ６５の長さを調整するためのネジ式の第１のワイヤ調整部６６が設けられ、この第１のワイヤ調整部６６を介して、中継ワイヤ６５の先端側が接続されている。さらに、各中継ワイヤ６５の中途には、操作部本体３２に支持されたプーリ６８が係合されている。【００４５】
そして、各中継ワイヤ６５の基端側は、各プーリ６８の配設位置の設定等により、湾曲レバー４５が中立状態にあるときのアーム部５４ｂの垂直方向に対して所定角度範囲内の角度（例えば、アーム部５４ｂの垂直方向に対して±２０°程度の誤差範囲内の角度）にて指向するよう調整されている。さらに、各中継ワイヤ６５の先端側は、各プーリ６８の配設位置の設定等により、湾曲レバー４５が中立状態にあるときの中継レバー６２の垂直方向に対して所定角度範囲内の角度（例えば、中継レバー６２の垂直方向に対して±２０°程度の誤差範囲内の角度）にて指向するよう調整されている。【００４６】
また、例えば、図８，９に示すように、各中継レバー６２の作用点６２ｂには、牽引ワイヤ２３の長さを調整するためのネジ式の第２のワイヤ調整部６７が設けられ、この第２のワイヤ調整部６７を介して、牽引ワイヤ２３の基端側が接続されている。なお、各牽引ワイヤ２３の先端側は、上下左右がそれぞれクロスした状態にて挿入部２内に配索されている。【００４７】
このような構成において、例えば、使用者等が操作部３の把持部３１を把持し、把持した手の親指によって湾曲レバー４５を左傾動方向に傾動させると、主として、右傾動方向に位置する２つのアーム部５４ｂに連結された中継ワイヤ６５が牽引される。これらの中継ワイヤ６５への牽引は、対応する各中継レバー６２に伝達され、各中継レバー６２は牽引量に応じた角度にて揺動される。これにより、湾曲部７内においては、主として湾曲方向左側に位置する２本の牽引ワイヤ２３が中継レバー６２によって増幅された牽引量にて牽引され、湾曲部７は左側に湾曲される。【００４８】
また、例えば、使用者等が操作部３の把持部３１を把持し、把持した手の親指によって湾曲レバー４５を右傾動方向に傾動させると、主として、左傾動方向に位置する２つのアーム部５４ｂに連結された中継ワイヤ６５が牽引される。これらの中継ワイヤ６５への牽引は、対応する各中継レバー６２に伝達され、各中継レバー６２は牽引量に応じた角度にて揺動される。これにより、湾曲部７内においては、主として湾曲方向右側に位置する２本の牽引ワイヤ２３が中継レバー６２によって増幅された牽引量にて牽引され、湾曲部７は右側に湾曲される。【００４９】
また、例えば、使用者等が操作部３の把持部３１を把持し、把持した手の親指によって湾曲レバー４５を上傾動方向に傾動させると、主として、下傾動方向に位置する２つのアーム部５４ｂに連結された中継ワイヤ６５が牽引される。これらの中継ワイヤ６５への牽引は、対応する各中継レバー６２に伝達され、各中継レバー６２は牽引量に応じた角度にて揺動される。これにより、湾曲部７内においては、主として湾曲方向下側に位置する２本の牽引ワイヤ２３が中継レバー６２によって増幅された牽引量にて牽引され、湾曲部７は上側に湾曲される。【００５０】
また、例えば、使用者等が操作部３の把持部３１を把持し、把持した手の親指によって湾曲レバー４５を下傾動方向に傾動させると、主として、上傾動方向に位置する２つのアーム部５４ｂに連結された中継ワイヤ６５が牽引される。これらの中継ワイヤ６５への牽引は、対応する各中継レバー６２に伝達され、各中継レバー６２は牽引量に応じた角度にて揺動される。これにより、湾曲部７内においては、主として湾曲方向上側に位置する２本の牽引ワイヤ２３が中継レバー６２によって増幅された牽引量にて牽引され、湾曲部７は下側に湾曲される。【００５１】
このような実施形態によれば、内視鏡１の操作部３に対して傾動可能に支持された湾曲レバー４５と、この湾曲レバー４５に設けられ当該湾曲レバー４５の傾動動作に連動して先端側が変位可能なアーム部５４ｂと、操作部３に対して揺動可能に支持され、アーム部５４ｂの先端側が中継ワイヤ６５を介して接続する力点６２ａを中途に有するとともに、湾曲ワイヤ２３が接続する作用点６２ｂを力点６２ａよりも支点（軸部６３）から離間した位置に有する中継レバー６２と、を備えて湾曲操作装置７０を構成することにより、アーム部５４ｂを長大化させることなく、湾曲部７を十分な湾曲角度で湾曲動作させることができる。【００５２】
すなわち、アーム部５４ｂによる変位量（牽引量）を中継レバー６２によって増幅させた後に牽引ワイヤ２３に伝達することにより、アーム部５４ｂを長大化させることなく、十分な牽引量にて湾曲部７を湾曲動作させることができる。従って、アーム部５４ｂと他の内蔵物との干渉を防止することができ、さらに、操作部３の大型化を効果的に抑制することができる。【００５３】
この場合において、中継ワイヤ６５の中途に係合するプーリ６８を設け、このプーリ６８により、湾曲レバー４５が中立状態にあるときの中継ワイヤ６５の基端側がアーム部５４ｂに対して略垂直に指向するよう設定することにより、アーム部５４ｂの変位量を効率的に中継ワイヤ６５の牽引量へと変換することができる。加えて、プーリ６８により、湾曲レバー４５が中立状態にあるときの中継ワイヤ６５の先端側が中継レバー６２に対して略垂直に指向するよう設定することにより、中継ワイヤ６５による牽引量を効率的に中継レバー６２の揺動量へと変換することができる。【００５４】
また、ステー６１を操作部本体３２側から把持部３３側へと延在させて、アーム部５４ｂの牽引量を増幅させるための中継レバー６２を把持部３３に設けることにより、操作部３内におけるデッドスペースを有効活用することができる。加えて、各中継レバー６２を単一の軸部６３上に並べて軸支することにより、中継レバー６２を一箇所に集約して配置することができる。【００５５】
また、各中継レバー６２の力点６２ａに接続する中継ワイヤ６５の長さを調整するための第１のワイヤ調整部６６と、各中継レバー６２の作用点６２ｂに接続する牽引ワイヤ２３の長さを調整するための第２のワイヤ調整部６７と、を中継レバー機構６０に設けることにより、湾曲レバー４５の傾動状態と湾曲部７の湾曲状態との関係を容易にチューニングすることができる。すなわち、第１，第２のワイヤ調整部６６，６７を有する本実施形態の中継レバー機構６０では、第１のワイヤ調整部６６による中継ワイヤ６５の長さ調整によって湾曲レバー４５の傾動状態と湾曲部７の湾曲状態との関係を粗調整し、その後、第２のワイヤ調整部６７による牽引ワイヤ２３の長さ調整によって上記関係を微調整することができ、チューニング作業が簡便なものとなる。この場合、特に、各中継レバー６２を把持部３３内に集約して配置し、且つ、第１，第２のワイヤ調整部６６，６７を各中継レバー６２の力点６２ａ及び作用点６２ｂに連結させた状態にて配置することにより、操作部本体３２を分解等することなく、把持部３３を操作部本体３２から取り外すだけの簡単な作業により、全てのワイヤ調整部６６，６７に容易にアクセスすることができる。【００５６】
なお、本発明は、以上説明した各実施形態に限定されることなく、種々の変形や変更が可能であり、それらも本発明の技術的範囲内である。【００５７】
本出願は、２０１５年３月１８日に日本国に出願された特願２０１５−５５１７４号を優先権主張の基礎として出願するものであり、上記の開示内容は、本願明細書、請求の範囲に引用されるものとする。
【図１】
2016147457.tif 000003
【図２】
2016147457.tif 000004
【図３】
2016147457.tif 000005
【図４】
2016147457.tif 000006
【図５】
2016147457.tif 000007
【図６】
2016147457.tif 000008
【図７】
2016147457.tif 000009
【図８】
2016147457.tif 000010
【図９】
2016147457.tif 000011
【図１０】
2016147457.tif 000012
【図１１】
2016147457.tif 000013
【手続補正書】
【提出日】平成28年7月4日(2016.7.4)
【手続補正１】
【補正対象書類名】明細書
【補正対象項目名】０００８
【補正方法】変更
【補正の内容】
【０００８】
本発明の一態様による湾曲操作装置は、内視鏡の操作部に対して傾動可能に支持された湾曲レバーと、前記湾曲レバーに設けられ当該湾曲レバーの傾動動作に連動して先端側が変位可能なアーム部と、前記操作部に対して揺動可能に支持され、前記アーム部の先端側が中継部材を介して接続される力点を中途に有するとともに、前記内視鏡の挿入部に設けられた湾曲部を湾曲動作させるための湾曲ワイヤが接続される作用点を前記力点よりも支点から離間した位置に有する中継レバーと、を備えたものである。
【手続補正２】
【補正対象書類名】特許請求の範囲
【補正対象項目名】全文
【補正方法】変更
【補正の内容】
【特許請求の範囲】
【請求項１】
内視鏡の操作部に対して傾動可能に支持された湾曲レバーと、
前記湾曲レバーに設けられ当該湾曲レバーの傾動動作に連動して先端側が変位可能なアーム部と、
前記操作部に対して揺動可能に支持され、前記アーム部の先端側が中継部材を介して接続される力点を中途に有するとともに、前記内視鏡の挿入部に設けられた湾曲部を湾曲動作させるための湾曲ワイヤが接続される作用点を前記力点よりも支点から離間した位置に有する中継レバーと、を備えたことを特徴とする湾曲操作装置。
【請求項２】
前記中継部材の中途に係合され、前記湾曲レバーが中立状態にあるときの前記中継部材の基端側を前記アーム部の垂直方向に対して所定角度範囲内の角度にて指向させるプーリを備えたことを特徴とする請求項１に記載の湾曲操作装置。
【請求項３】
前記プーリは、前記湾曲レバーが中立状態にあるときの前記中継部材の先端側を前記中継レバーの垂直方向に対して所定角度範囲内の角度にて指向させることを特徴とする請求項２に記載の湾曲操作装置。
【請求項４】
前記中継レバーの前記力点に接続する前記中継部材の長さを調整する第１のワイヤ調整部と、
前記中継レバーの前記作用点に接続する前記湾曲ワイヤの長さを調整する第２のワイヤ調整部と、を備えたことを特徴とする請求項１に記載の湾曲操作装置。
【請求項５】
請求項１に記載の湾曲操作装置を前記操作部に備えたことを特徴とする内視鏡。
【手続補正書】
【提出日】平成28年11月24日(2016.11.24)
【手続補正１】
【補正対象書類名】明細書
【補正対象項目名】０００８
【補正方法】変更
【補正の内容】
【０００８】
本発明の一態様による湾曲操作装置は、内視鏡の操作部に対して傾動可能に支持された湾曲レバーと、前記湾曲レバーに設けられ当該湾曲レバーの傾動動作に連動して先端側が変位可能なアーム部と、中継レバーと、を備え、前記中継レバーは、固定端側が前記操作部に対して揺動可能に支持され、前記アーム部の先端側が中継部材を介して接続される力点を中途に有するとともに、前記内視鏡の挿入部に設けられた湾曲部を湾曲動作させるための湾曲ワイヤが接続される作用点を、前記力点よりも支点から離間した位置であって、該中継レバーの長手方向において前記力点よりも自由端側の位置に有する、ものである。
【手続補正２】
【補正対象書類名】特許請求の範囲
【補正対象項目名】全文
【補正方法】変更
【補正の内容】
【特許請求の範囲】
【請求項１】
内視鏡の操作部に対して傾動可能に支持された湾曲レバーと、
前記湾曲レバーに設けられ当該湾曲レバーの傾動動作に連動して先端側が変位可能なアーム部と、
中継レバーと、を備え、
前記中継レバーは、
固定端側が前記操作部に対して揺動可能に支持され、前記アーム部の先端側が中継部材を介して接続される力点を中途に有するとともに、前記内視鏡の挿入部に設けられた湾曲部を湾曲動作させるための湾曲ワイヤが接続される作用点を、前記力点よりも支点から離間した位置であって、該中継レバーの長手方向において前記力点よりも自由端側の位置に有する、ことを特徴とする湾曲操作装置。
【請求項２】
前記中継部材の中途に係合され、前記湾曲レバーが中立状態にあるときの前記中継部材の基端側を前記アーム部の垂直方向に対して所定角度範囲内の角度にて指向させるプーリを備えたことを特徴とする請求項１に記載の湾曲操作装置。
【請求項３】
前記プーリは、前記湾曲レバーが中立状態にあるときの前記中継部材の先端側を前記中継レバーの垂直方向に対して所定角度範囲内の角度にて指向させることを特徴とする請求項２に記載の湾曲操作装置。
【請求項４】
前記中継レバーの前記力点に接続する前記中継部材の長さを調整する第１のワイヤ調整部と、
前記中継レバーの前記作用点に接続する前記湾曲ワイヤの長さを調整する第２のワイヤ調整部と、を備えたことを特徴とする請求項１に記載の湾曲操作装置。
【請求項５】
請求項１に記載の湾曲操作装置を前記操作部に備えたことを特徴とする内視鏡。
【国際調査報告】
2016147457.tif 000014
2016147457.tif 000015
2016147457.tif 000016
2016147457.tif 000017